【手続補正書】
【提出日】平成28年5月31日(2016.5.31)
【手続補正１】
【補正対象書類名】特許請求の範囲
【補正対象項目名】全文
【補正方法】変更
【補正の内容】
【特許請求の範囲】
【請求項１】
移動デバイスにおける方法において、
ユーザにより知覚可能な出力の開始に続いて、前記移動デバイスのディスプレイ部分が、しきい時間期間の間、水平な見えるポジションのしきい角度内にとどまることと、前記移動デバイスの運動を示す、前記移動デバイスの慣性センサおよび／または環境センサからの入力とに少なくとも部分的に基づいて、前記移動デバイスがジェスチャーコマンド入力レディ状態にあるか否かを決定することと、
前記移動デバイスが前記ジェスチャーコマンド入力レディ状態にある場合に、前記移動デバイスの検出された動きがジェスチャーコマンド入力を表すか否かを決定することと、
前記検出された動きが前記ジェスチャーコマンド入力を表すとの決定に応答して、ユーザにより知覚可能な前記出力に影響を与えることとを含む方法。
【請求項２】
前記移動デバイスにおいて、
現在のユーザ運動状態にさらに少なくとも部分的に基づいて、前記移動デバイスが前記ジェスチャーコマンド入力レディ状態にあるか否かを決定することをさらに含む請求項１記載の方法。
【請求項３】
前記現在のユーザ運動状態がユーザが歩いていないことを示すことに応答して、前記移動デバイスが前記ジェスチャーコマンド入力レディ状態にあると決定される請求項２記載の方法。
【請求項４】
前記移動デバイスが前記ジェスチャーコマンド入力レディ状態にあるか否かを決定することは、前記移動デバイスの推定されたロケーションにさらに少なくとも部分的に基づいている請求項１記載の方法。
【請求項５】
前記移動デバイスにおいて、
ユーザ入力を受け取ってからの第２のしきい時間期間にさらに少なくとも部分的に基づいて、前記移動デバイスが前記ジェスチャーコマンド入力レディ状態にあるか否かを決定することをさらに含む請求項１記載の方法。
【請求項６】
前記移動デバイスにおいて、
検出された重力加速度に対する前記移動デバイスの向きに少なくとも部分的に基づいて、前記移動デバイスのディスプレイ部分が、前記水平な見えるポジションにあるか否かを決定することをさらに含む請求項１記載の方法。
【請求項７】
前記移動デバイスにおいて、
検出された外部光源に対する前記移動デバイスの向きに少なくとも部分的に基づいて、前記移動デバイスのディスプレイ部分が、前記水平な見えるポジションにあるか否かを決定することをさらに含む請求項１記載の方法。
【請求項８】
前記移動デバイスにおいて、
前記ユーザにより知覚可能な前記出力に影響を与えることに応答して、ユーザにより知覚可能な追加の出力を開始することをさらに含む請求項１記載の方法。
【請求項９】
前記ユーザにより知覚可能な前記出力に影響を与えることは、ユーザにより知覚可能な前記出力を停止させることを含む請求項１記載の方法。
【請求項１０】
前記移動デバイスにおいて、
可聴の出力、視覚的な出力、または、触覚の出力、のうちの少なくとも１つを発生させることによって、ユーザにより知覚可能な前記出力を生成させることをさらに含む請求項１記載の方法。
【請求項１１】
移動デバイスにおける使用のための装置において、
前記装置は、
ユーザにより知覚可能な出力を開始する手段と、
ユーザにより知覚可能な前記出力の開始に続いて、前記移動デバイスのディスプレイ部分が、しきい時間期間の間、水平な見えるポジションのしきい角度内にとどまることと、前記移動デバイスの運動を示す、前記移動デバイスの慣性センサおよび／または環境センサからの入力とに少なくとも部分的に基づいて、前記移動デバイスがジェスチャーコマンド入力レディ状態にあるか否かを決定する手段と、
前記移動デバイスの動きを検出する手段と、
前記移動デバイスが前記ジェスチャーコマンド入力レディ状態にある場合に、前記移動デバイスの前記検出された動きがジェスチャーコマンド入力を表すか否かを決定する手段と、
決定された前記ジェスチャーコマンド入力に応答して、ユーザにより知覚可能な前記出力に影響を与える手段とを具備する装置。
【請求項１２】
現在のユーザ運動状態を決定する手段と、
前記決定された現在のユーザ運動状態にさらに少なくとも部分的に基づいて、前記移動デバイスが前記ジェスチャーコマンド入力レディ状態にあるか否かを決定する手段とをさらに具備する請求項１１記載の装置。
【請求項１３】
前記決定された現在のユーザ運動状態がユーザが歩いていないことを示すことに応答して、前記移動デバイスが前記ジェスチャーコマンド入力レディ状態にあると決定される請求項１２記載の装置。
【請求項１４】
前記移動デバイスのロケーションを推定する手段をさらに具備し、
前記移動デバイスが前記ジェスチャーコマンド入力レディ状態にあるか否かを決定する手段は、前記移動デバイスの前記推定されたロケーションにさらに少なくとも部分的に基づいている請求項１１記載の装置。
【請求項１５】
移動デバイスにおいて、
少なくともディスプレイデバイスを備える１つ以上の出力デバイスと、
１つ以上の慣性センサおよび１つ以上の環境センサと、
処理ユニットとを具備し、
前記処理ユニットは、前記１つ以上の出力デバイスのうちの少なくとも１つを介しての、ユーザにより知覚可能な出力の開始に続いて、
前記ディスプレイデバイスが、しきい時間期間の間、水平な見えるポジションのしきい角度内にとどまることと、前記移動デバイスの運動を示す、前記１つ以上の慣性センサおよび／または前記１つ以上の環境センサからの入力とに少なくとも部分的に基づいて、前記移動デバイスがジェスチャーコマンド入力レディ状態にあるか否かを決定し、
前記移動デバイスが前記ジェスチャーコマンド入力レディ状態にある場合に、前記移動デバイスの動きがジェスチャーコマンド入力を表すか否かを決定し、
決定された前記ジェスチャーコマンド入力に応答して、ユーザにより知覚可能な前記出力に影響を与えるように構成されており、
前記動きは、前記１つ以上の慣性センサのうちの少なくとも１つに関係付けられている少なくとも１つの信号に少なくとも部分的に基づいている移動デバイス。
【請求項１６】
前記処理ユニットは、ユーザにより知覚可能な前記出力の開始に続いて、
現在のユーザ運動状態を取得し、
前記現在のユーザ運動状態にさらに少なくとも部分的に基づいて、前記移動デバイスが前記ジェスチャーコマンド入力レディ状態にあるか否かを決定するようにさらに構成されている請求項１５記載の移動デバイス。
【請求項１７】
前記現在のユーザ運動状態がユーザが歩いていないことを示すことに応答して、前記移動デバイスが前記ジェスチャーコマンド入力レディ状態にあると決定される請求項１６記載の移動デバイス。
【請求項１８】
前記処理ユニットは、ユーザにより知覚可能な前記出力の開始に続いて、
前記移動デバイスの推定されたロケーションを取得し、
前記移動デバイスの前記推定されたロケーションにさらに少なくとも部分的に基づいて、前記移動デバイスが前記ジェスチャーコマンド入力レディ状態にあるか否かを決定するようにさらに構成されている請求項１５記載の移動デバイス。
【請求項１９】
前記処理ユニットは、ユーザにより知覚可能な前記出力の開始に続いて、
前記ジェスチャーコマンド入力以外の以前のユーザ入力の時間を決定し、
前記以前のユーザ入力の受け取りから第２のしきい時間期間が経過しているか否かを決定し、
前記以前のユーザ入力の受け取りから前記第２のしきい時間期間が経過しているとの決定にさらに少なくとも部分的に基づいて、前記移動デバイスが前記ジェスチャーコマンド入力レディ状態にあるか否かを決定するようにさらに構成されている請求項１５記載の移動デバイス。
【請求項２０】
前記処理ユニットは、ユーザにより知覚可能な前記出力の開始に続いて、
前記１つ以上の慣性センサのうちの少なくとも１つに関係付けられている前記少なくとも１つの信号に少なくとも部分的に基づいて、検出された重力加速度に対する前記移動デバイスの向きを決定し、
前記検出された重力加速度に対する前記移動デバイスの向きに少なくとも部分的に基づいて、前記ディスプレイデバイスが、前記水平な見えるポジションにあるか否かを決定するようにさらに構成されている請求項１５記載の移動デバイス。
【請求項２１】
前記移動デバイスにおいて、
外部光源からの光を検出するセンサをさらに具備し、
前記処理ユニットは、ユーザにより知覚可能な前記出力の開始に続いて、
前記検出された光に対する前記移動デバイスの向きに少なくとも部分的に基づいて、前記ディスプレイデバイスが、前記水平な見えるポジションにあるか否かを決定するようにさらに構成されている請求項１５記載の移動デバイス。
【請求項２２】
前記処理ユニットは、ユーザにより知覚可能な前記出力の開始に続いて、
前記ユーザにより知覚可能な前記出力に影響を与えることに応答して、前記１つ以上の出力デバイスのうちの少なくとも１つを介して、ユーザにより知覚可能な追加の出力を開始するようにさらに構成されている請求項１５記載の移動デバイス。
【請求項２３】
前記処理ユニットは、ユーザにより知覚可能な前記出力を停止させることによって、ユーザにより知覚可能な前記出力に影響を与えるようにさらに構成されている請求項１５記載の移動デバイス。
【請求項２４】
前記１つ以上の出力デバイスのうちの少なくとも１つは、可聴の出力、視覚的な出力、または、触覚の出力、のうちの少なくとも１つを発生させる請求項１５記載の移動デバイス。
【請求項２５】
コンピュータ実行可能命令をそこに記憶しているコンピュータ読取可能媒体において、
前記コンピュータ実行可能命令は、ユーザにより知覚可能な出力の開始に続いて、移動デバイスの処理ユニットに、
前記移動デバイスのディスプレイ部分が、しきい時間期間の間、水平な見えるポジションのしきい角度内にとどまることと、前記移動デバイスの運動を示す、前記移動デバイスの慣性センサおよび／または環境センサからの入力とに少なくとも部分的に基づいて、前記移動デバイスがジェスチャーコマンド入力レディ状態にあるか否かを決定させ、
前記移動デバイスが前記ジェスチャーコマンド入力レディ状態にある場合に、前記移動デバイスの検出された動きがジェスチャーコマンド入力を表すか否かを決定させ、
前記検出された動きが前記ジェスチャーコマンド入力を表すとの決定に応答して、ユーザにより知覚可能な前記出力に影響を与えさせるように、前記処理ユニットによって実行可能であるコンピュータ読取可能媒体。
【請求項２６】
前記コンピュータ実行可能命令は、前記処理ユニットに、
現在のユーザ運動状態にさらに少なくとも部分的に基づいて、前記移動デバイスが前記ジェスチャーコマンド入力レディ状態にあるか否かを決定させるように、前記処理ユニットによってさらに実行可能である請求項２５記載のコンピュータ読取可能媒体。
【請求項２７】
前記現在のユーザ運動状態がユーザが歩いていないことを示すことに応答して、前記移動デバイスが前記ジェスチャーコマンド入力レディ状態にあると決定される請求項２６記載のコンピュータ読取可能媒体。
【請求項２８】
前記移動デバイスが前記ジェスチャーコマンド入力レディ状態にあるか否かの前記決定は、前記移動デバイスの推定されたロケーションにさらに少なくとも部分的に基づいている請求項２５記載のコンピュータ読取可能媒体。
【請求項２９】
前記コンピュータ実行可能命令は、前記処理ユニットに、
ユーザ入力の受け取りからの第２のしきい時間期間にさらに少なくとも部分的に基づいて、前記移動デバイスが前記ジェスチャーコマンド入力レディ状態にあるか否かを決定させるように、前記処理ユニットによってさらに実行可能である請求項２５記載のコンピュータ読取可能媒体。